(57)【要約】【課題】  ユーザに提供し得るサービス情報のみをサービスリストに記載することができる地上デジタル放送受信機のチャンネルサーチ方法を提供する。【解決手段】  チャンネルサーチは全放送帯域について周波数選択（Ｓ３）で周波数設定が行われ、前記周波数選択後フロントエンドロック確認（Ｓ４）を行う。前記フロントエンドロック確認が正常の場合、ＴＭＣＣ情報が取得可能となり、前記ＴＭＣＣ情報より、前記周波数設定されたチャンネルに存在する階層数、各階層のセグメント数、部分受信階層（1セグメントのみ伝送している階層）の有無の情報を得るようにする。【選択図】  図２
2007116322.tif 000002
【特許請求の範囲】
【請求項１】
地上デジタル放送の固定受信サービス、移動受信サービス、の双方、またはいずれかの階層を受信可能であり、全放送帯域周波数チャンネルサーチを行う機能を有するデジタル放送受信機のチャンネルサーチ方法であって、
前記全放送帯域周波数チャンネルサーチを行うためにそれぞれの周波数チャンネルの周波数情報の設定を行う周波数情報設定ステップと
前記周波数情報設定後にその周波数情報に対応した周波数チャンネルにロックしたか否かのフロントエンドロック確認を行うステップと、
前記フロントエンドロック確認が正常の場合にＴＭＣＣ（Transmission and Multiplexing Configuration Control）情報を取得するステップと、
前記取得したＴＭＣＣ情報から前記ロックした周波数チャンネルで放送されている前記階層の階層数を取得するステップと、
前記取得した階層数から必要な階層に応じたビットエラーレートを取得するステップと、
前記取得したビットエラーレートが所定の閾値より低い場合前記必要とする階層に含まれるサービス情報をサービスリストに追加するステップと、
を有することを特徴とするデジタル放送受信機のチャンネルサーチ方法。
【発明の詳細な説明】
【技術分野】
【０００１】
本発明は、地上デジタル放送受信機能を備えたデジタル放送受信機のチャンネルサーチ方法に関する。
【背景技術】
【０００２】
デジタル放送の受信装置では、最初に全放送帯域周波数をサーチする機能いわゆるチャンネルサーチが行われる。このチャンネルサーチ機能において、伝送されているサービス情報を、サービスリストに追加する判断は、フレーム同期の確立判定、電界強度が閾値を越えているか否かのＣ／Ｎ（Carrier to Noise ratio）判定で判断することができる（例えば、特許文献１参照。）。
【０００３】
【特許文献１】特開２００５−０８６３６７公報
【発明の開示】
【発明が解決しようとする課題】
【０００４】
ところで、上述の手法は、フロントエンド信号処理である８値ＰＳＫ信号の復調、誤り訂正処理、トランスポート（ＴＳ）信号分割等の処理及び、ネットワーク情報テーブル（Network Information Table：ＮＩＴ）取得が行われるので、必ず当該周波数で伝送されている全サービス情報をサービスリストに追加するようにしている。
また、Ｃ／Ｎ判定を行っていることから、電界強度が一定値に満たない周波数チャンネルのサービス情報をサービスリストに追加しないようにしている。
【０００５】
従って、上述の方法では、移動受信サービス（伝送タイプb）のみを受信可能な地域において、Ｃ／Ｎ判定を移動受信サービスで行うとユーザに提供すべきではない受信不可能な固定受信サービス（伝送タイプａ）情報をサービスリストに追加し、Ｃ／Ｎ判定を固定受信サービスで行うとユーザに提供し得る受信可能な移動受信サービス情報をサービスリストに追加できないという問題があった。
【０００６】
また、地上デジタル放送の全放送帯域周波数では伝送方式が同一でなく、固定受信サービス、移動受信サービスのいずれかのみが伝送されている周波数チャンネルにおいて、上述の方法でサービス情報のサービスリストへの追加判断を行うには、伝送方式毎にＣ／Ｎ判定値を決定しなければならないという問題があった。
【０００７】
本発明は、以上の点に鑑みなされたもので、ユーザに提供し得るサービス情報のみをサービスリストに記載することが可能な地上デジタル放送受信機のチャンネルサーチ方法を提供することを目的とする。
【課題を解決するための手段】
【０００８】
本発明は、上記課題を解決するために、以下に記載の手段よりなる。
すなわち、
地上デジタル放送の固定受信サービス、移動受信サービス、の双方、またはいずれかの階層を受信可能であり、全放送帯域周波数チャンネルサーチを行う機能を有するデジタル放送受信機のチャンネルサーチ方法であって、
前記全放送帯域周波数チャンネルサーチを行うためにそれぞれの周波数チャンネルの周波数情報の設定を行う周波数情報設定ステップと
前記周波数情報設定後にその周波数情報に対応した周波数チャンネルにロックしたか否かのフロントエンドロック確認を行うステップと、
前記フロントエンドロック確認が正常の場合にＴＭＣＣ（Transmission and Multiplexing Configuration Control）情報を取得するステップと、
前記取得したＴＭＣＣ情報から前記ロックした周波数チャンネルで放送されている前記階層の階層数を取得するステップと、
前記取得した階層数から必要な階層に応じたビットエラーレートを取得するステップと、
前記取得したビットエラーレートが所定の閾値より低い場合前記必要とする階層に含まれるサービス情報をサービスリストに追加するステップと、
を有することを特徴とするデジタル放送受信機のチャンネルサーチ方法。
【発明の効果】
【０００９】
本発明のデジタル放送受信機のチャンネルサーチ方法によれば、地上デジタル放送受信機におけるチャンネルサーチの際、ユーザが必要とするサービス情報のみをサービスリストに記載するという効果を奏する。
【発明を実施するための最良の形態】
【００１０】
以下、本発明に係る地上デジタル放送受信機のチャンネルサーチ方法の発明を実施するための最良の形態につき、好ましい実施例により説明する。
【００１１】
本発明は、サービス情報をサービスリストに追加する判定には、フロントエンドロック判定、ＮＩＴの取得可否、伝送方式、フレーム構造、ＴＳＩＤ等送信制御を行うための信号（Transmission and Multiplexing Configuration Control、以下ＴＭＣＣ）判定、各伝送階層（Ａ階層、Ｂ階層、Ｃ階層）のBit Error Rate（以下、ＢＥＲ）判定を用いて判定する。前記ＴＭＣＣ判定はフロントエンドロック確認後に行うようにしている。
【００１２】
図１は、本実施例に適用される地上デジタル放送受信機の概略ブロック図を示した図である。１２は、複数の送信局から送出され周波数の異なるデジタル放送波から希望デジタル放送信号であるベースバンドＯＦＤＭ信号を抽出するための選局部であり、１３は、前記時間軸のベースバンドＯＦＤＭ信号を周波数軸表現の信号に変換し、ＴＳに関連する本線系データとＴＭＣＣデータに分離するＯＦＤＭ復調部であり、１８は、ＴＭＣＣを解析するＴＭＣＣデコード部であり、１４は、ＴＳに関連する本線系データを前記ＴＭＣＣのデコード部１８より取得したキャリア復調方式によりデータ系列の信号に変換するキャリア復調部である。
【００１３】
１５は、前記データ系列信号を前記ＴＭＣＣのデコード手段より取得した符号化率により内符号を解く内符号誤り訂正手段としてのビタビ復号化部であり、１６は、前記ビタビ復号化の誤り訂正により生成したＴＳのデータ系列に付加されている外符号を解く外符号誤り訂正手段としてのＲＳ復号化部であり、さらに１７は、前記ＲＳ復号化部の誤り訂正より生成したＴＳを番組の映像や音声、伝送制御情報ＰＳＩ、番組配列情報などに分けるＴＳ分離部である。また、１９は、ビタビ復号化部１５のデータ誤りをカウントするためのＢＥＲ測定部であり、２０は、ＴＳ分離部１７よりフィルタリングされた伝送制御情報からＮＩＴを抽出するＮＩＴ取得部である。
なお、ＢＥＲ取得はビタビ復号エラーから取得する構成としてもよいし、ＲＳ復号エラーから取得する構成としてもよい。
【００１４】
また、１０は、ＮＩＴ取得部２０、ＢＥＲ測定部１９、ＴＭＣＣデコード部１８より供給された各情報によりチャンネルマップを生成するチャンネルマップ生成部であり、１１は、受信動作を制御するための選局切替制御部で、２１は、放送エリア移行実施手段としての選局制御部である。
【００１５】
以下に、本実施例に適用される地上デジタル放送受信機のチャンネルサーチ方法について図２−６を参照して説明する。また、使用される伝送階層（Ａ階層、Ｂ階層、Ｃ階層）のパターン例を表１に示す。
【００１６】
【表１】
2007116322.tif 000003
【００１７】
表１に示すように、各パターンのセグメントの合計数は１３であり、使用階層に各パターン応じて振り分けられる。パターン（４），（６）は使用階層でセグメント数を可変する例であり、いずれの場合も合計数が１３となるように振り分けられる。まや、伝送タイプは、使用階層が複数のいずれのパターンにおいても、セグメント数が小である階層にｃタイプが割り振られている。
【００１８】
チャンネルサーチは全放送帯域について周波数選択（図２−Ｓ３）で周波数設定が行われ、前記周波数選択後フロントエンドロック確認（図２−Ｓ４）を行う。前記フロントエンドロック確認が正常の場合、ＴＭＣＣ情報が取得可能となり、前記ＴＭＣＣ情報より、前記周波数設定されたチャンネルに存在する階層数（以下、階層数）、各階層のセグメント数、部分受信階層（1セグメントのみ伝送している階層）の有無、の情報を得る。
【００１９】
前記階層数より３階層伝送されていればＣ階層、２階層伝送されていればＢ階層、１階層伝送であればＡ階層が、階層伝送の運用表１によって、Ｃ／Ｎ値が最も高い階層である（図４−Ｓ１８）。
【００２０】
前記階層数が１の場合（図４−Ｓ１８：１つ、図４−Ｓ１９〜Ｓ２２）、Ａ階層ＢＥＲを取得し、視聴可能レベルの場合、前記周波数設定で伝送されている全サービス（ＮＩＴのサービスリストに記載されている全サービス）をサービスリストに追加する（図４−Ｓ２１）。前記Ａ階層ＢＥＲが視聴可能レベルで無い場合、前記周波数設定で伝送されている全サービスをサービスリストに追加しない（図４−２２）。
【００２１】
前記階層数が２の場合（図４−Ｓ１８：２つ、図４−Ｓ２３〜Ｓ２７及び図５−Ｓ２８〜Ｓ３２）、Ｂ階層ＢＥＲを取得し、視聴可能レベルの場合、前記周波数設定で伝送されている全サービス情報をサービスリストに追加する（図４−Ｓ２５）。前記Ｂ階層ＢＥＲが視聴可能レベルで無い場合、前記部分受信階層の有無を確認する（図４−Ｓ２６）。前記部分受信階層が存在した場合、固定受信サービスもしくは移動受信サービスが受信できない状態であり、前記周波数設定で伝送されている全サービス情報をサービスリストに追加しない（図４−Ｓ２７）。
【００２２】
前記部分受信階層が存在しない場合、表１より固定受信サービスは受信できないので、移動受信サービスの受信判定を行うためＡ階層ＢＥＲ（以下、Ａ階層ＢＥＲ２）を取得する（図５−Ｓ２８）。前記Ａ階層ＢＥＲ２が視聴可能レベルで無い場合、前記周波数設定で伝送されている全サービス情報をサービスリストに追加しない（図５−Ｓ３２）。前記Ａ階層ＢＥＲ２が視聴可能レベルの場合、ＮＩＴ内のサービスリスト記述子を解析する際、伝送パラメータbのサービス情報のみサービスリストに追加する（図５―Ｓ３０，Ｓ３１）。
【００２３】
前記階層数が３の場合（図４−Ｓ１８：３つ、図５−Ｓ２３〜Ｓ３５及び図６−Ｓ３６〜Ｓ４０）、Ｃ階層ＢＥＲを取得し、Ｃ階層ＢＥＲが視聴可能レベルの場合、前記周波数設定で伝送されている全サービス情報をサービスリストに追加する（図５−Ｓ３５）。前記Ｃ階層ＢＥＲが受信可能レベルで無い場合、Ｂ階層ＢＥＲ（以下、Ｂ階層ＢＥＲ２）を取得する（図５−Ｓ３６）。前記Ｂ階層ＢＥＲ２が視聴可能レベルで無い場合、前記周波数設定で伝送されている全サービス情報をサービスリストに追加しない（図６−Ｓ４０）。前記Ｂ階層ＢＥＲ２が視聴可能の場合、ＮＩＴ内のサービスリスト記述子を解析する際、伝送パラメータbのサービスのみサービスリストに追加する（図６−Ｓ３８，Ｓ３９）。
以上のように構成することにより視聴可能なサービス情報のみをサービスリストに記載できるものである。
【図面の簡単な説明】
【００２４】
【図１】本実施例に適用される地上デジタル放送受信機のブロック構成例を示す図である。
【図２】本実施例に適用される地上デジタル放送受信機のチャンネルサーチ方法を説明するためのフローチャートの一例である。
【図３】本実施例に適用される地上デジタル放送受信機のチャンネルサーチ方法を説明するためのフローチャートの一例である。
【図４】本実施例に適用される地上デジタル放送受信機のチャンネルサーチ方法を説明するためのフローチャートの一例である。
【図５】本実施例に適用される地上デジタル放送受信機のチャンネルサーチ方法を説明するためのフローチャートの一例である。
【図６】本実施例に適用される地上デジタル放送受信機のチャンネルサーチ方法を説明するためのフローチャートの一例である。
【符号の説明】
【００２５】
１０…チャンネルマップ生成部
１１…選局切替制御部
１２…選局部
１３…ＯＦＤＭ復調部
１４…キャリア復調部
１５…ビタビ復号化部
１６…ＲＳ復号化部
１７…ＴＳ分離部
１８…ＴＭＣＣデコード部
１９…ＢＥＲ測定部
２０…ＮＩＴ取得部
２１…選局制御部
【図１】
2007116322.tif 000004
【図２】
2007116322.tif 000005
【図３】
2007116322.tif 000006
【図４】
2007116322.tif 000007
【図５】
2007116322.tif 000008
【図６】
2007116322.tif 000009